(57)【特許請求の範囲】
【請求項１】
記録媒体受付装置であって、
情報を記録した記録媒体の挿入を受け付ける略長方形状の挿入口を備える記録媒体挿入部と、
挿入された前記記録媒体の情報記録部に記憶された情報を読み取るためのヘッドを有する読取部と、
を備え、
前記記録媒体挿入部には、前記挿入口の長手方向の少なくとも一部の範囲、かつ、前記ヘッドと対応する位置に、前記記録媒体の挿入を案内するための突出部が形成され、
前記突出部の先端付近に取り付けられた異物を検知するために、前記突出部の先端よりも外側、かつ、前記挿入口の長手方向を監視する第１のセンサが設けられ、
前記第１のセンサは、受光センサと発光センサとを備え、前記受光センサと前記発光センサとは、前記挿入口の長手方向を挟むように配置されている、記録媒体受付装置。
【請求項２】
請求項１記載の記録媒体受付装置であって、さらに、
前記挿入口に挿入された前記記録媒体を前記ヘッドに向かって搬送する搬送ローラを備え、
前記挿入口に対する前記突出部の突出量は、前記挿入口に挿入された前記記録媒体の先端が前記搬送ローラに接触した状態における、前記挿入口からの前記記録媒体の突出量以上である、記録媒体受付装置。
【請求項３】
請求項１または２記載の記録媒体受付装置であって、さらに、
前記突出部の表面に取り付けられた異物を検知するために、前記磁気ヘッドと対応する位置、かつ、前記挿入口の短手方向を監視する第２のセンサが設けられている、記録媒体受付装置。
【請求項４】
請求項３記載の記録媒体受付装置であって、
前記突出部は中空状に形成され、かつ、前記突出部のうちの前記磁気ヘッドと対応する位置であって、前記挿入口と対向する側の面の少なくとも一部分は特定周波数の光のみを通過する材料で形成され、
前記第２のセンサは、前記突出部内に形成された空間に配置されている、記録媒体受付装置。
【請求項５】
請求項３または４記載の記録媒体受付装置であって、
前記挿入口は、前記記録媒体受付装置の前面に対して窪んだ面である挿入口形成面に形成され、
前記挿入口形成面のうち、前記挿入口の長手方向の両端部から前記記録媒体受付装置の前面に向かって延伸する面の少なくとも一方には、前記第１のセンサが設けられ、
前記挿入口形成面のうち、前記挿入口の短手方向の上端部から前記記録媒体受付装置の前面に向かって延伸する面と、前記突出部との少なくとも一方には、前記第２のセンサが設けられている、記録媒体受付装置。
【請求項６】
請求項１ないし５のいずれか一項記載の記録媒体受付装置であって、さらに、
前記突出部の側面に取り付けられた異物を検知するために、前記突出部の一側面を監視する第３のセンサが設けられている、記録媒体受付装置。
【請求項７】
請求項１ないし６のいずれか一項記載の記録媒体受付装置であって、
前記突出部は、前記突出部の一部が前記記録媒体と接触するように形成されている、記録媒体受付装置。
【請求項８】
請求項１ないし７のいずれか一項記載の記録媒体受付装置であって、
前記突出部は、湾曲した形状である、記録媒体受付装置。
【発明の詳細な説明】
【技術分野】
【０００１】
本発明は、情報を記録した記録媒体の挿入を受け付け、記録媒体に記憶された情報を読み取る読取部に記録媒体を搬送する記録媒体受付装置に関する。
【背景技術】
【０００２】
近年になり、現金自動取引装置（Ａｕｔｏｍａｔｅｄ  Ｔｅｌｌｅｒ  Ｍａｃｈｉｎｅ、以降「ＡＴＭ」とも呼ぶ。）や現金支払機（Ｃａｓｈ Ｄｉｓｐｅｎｓｅｒ、以降「ＣＤ」とも呼ぶ。）の普及が拡大し、いわゆる無人店舗等においてもこれらの機器が設置されている。ＡＴＭやＣＤで取り扱われるキャッシュカードやクレジットカードには現金支払い・預け入れに必要な情報（顧客情報）が記録されている。カードへの顧客情報の記録形態としては、磁気ストライプへのデータ記録、集積回路（ＩＣ）へのデータ記録などがある。
【０００３】
ＴＭやＣＤでのこのようなカード使用が増えるに伴い、カードに記録済みの顧客情報を不正に入手するスキミングと称される犯罪の発生が国内外において増加している。スキミングは、不正に入手した顧客情報を偽造カードに記録させ、その偽造カードにて顧客口座から現金を引き出す等の犯罪行為である。スキミングは、例えば、ＡＴＭのカード挿入口近くに不正な読取装置（以降、「スキミング装置」とも呼ぶ。）を取り付け、顧客（利用者）が挿入したカードの情報を不正に読み取ることにより行われる。
【０００４】
こうした経緯から、現在、種々のスキミング対策が提案されている。例えば、オートフォーカス制御機能付きのカメラを用いて、焦点距離の変化でスキミング装置を検出する技術が知られている（特許文献１）。しかし、従来の技術では、スキミング対策にかかるコストが大きいという問題があった。
【先行技術文献】
【特許文献】
【０００５】
【特許文献１】特開２００８−２２５６７０号公報
【特許文献２】特開２００７−２８０３１７号公報
【発明の概要】
【発明が解決しようとする課題】
【０００６】
本発明は、記録媒体受付装置において、簡易な構成でスキミング対策を図ることを目的とする。
【課題を解決するための手段】
【０００７】
本発明は、上述の課題の少なくとも一部を解決するためになされたものであり、以下の形態として実現することができる。記録媒体受付装置であって、情報を記録した記録媒体の挿入を受け付ける略長方形状の挿入口を備える記録媒体挿入部と、挿入された前記記録媒体の情報記録部に記憶された情報を読み取るためのヘッドを有する読取部と、を備え、前記記録媒体挿入部には、前記挿入口の長手方向の少なくとも一部の範囲、かつ、前記ヘッドと対応する位置に、前記記録媒体の挿入を案内するための突出部が形成され、前記突出部の先端付近に取り付けられた異物を検知するために、前記突出部の先端よりも外側、かつ、前記挿入口の長手方向を監視する第１のセンサが設けられ、前記第１のセンサは、受光センサと発光センサとを備え、前記受光センサと前記発光センサとは、前記挿入口の長手方向を挟むように配置されている、記録媒体受付装置。そのほか、本発明は、以下の形態又は適用例として実現することが可能である。
【０００８】
［適用例１］
記録媒体受付装置であって、
情報を記録した記録媒体の挿入を受け付ける略長方形状の挿入口を備える記録媒体挿入部と、
挿入された前記記録媒体の情報記録部に記憶された情報を読み取るためのヘッドを有する読取部と、
を備え、
前記記録媒体挿入部には、前記挿入口の長手方向の少なくとも一部の範囲、かつ、前記ヘッドと対応する位置に、前記記録媒体の挿入を案内するための突出部が形成されている、記録媒体受付装置。
【０００９】
この構成によれば、記録媒体を挿入するための挿入口の長手方向の少なくとも一部の範囲、かつ、記録媒体の情報記録部に記憶された情報を読み取るためのヘッドと対応する位置に、記録媒体の挿入を案内するための突出部が形成されているため、スキミング装置による情報記録部への接触を抑制しつつ、操作性を確保することができる。この結果、記録媒体受付装置において、簡易な構成でスキミング対策を図ることができる。
【００１０】
［適用例２］
適用例１記載の記録媒体受付装置であって、さらに、
前記挿入口に挿入された前記記録媒体を前記ヘッドに向かって搬送する搬送ローラを備え、
前記挿入口に対する前記突出部の突出量は、前記挿入口に挿入された前記記録媒体の先端が前記搬送ローラに接触した状態における、前記挿入口からの前記記録媒体の突出量以上である、記録媒体受付装置。
【００１１】
この構成によれば、挿入口に対する突出部の突出量は、挿入口に挿入された記録媒体の先端が搬送ローラに接触した状態における、挿入口からの記録媒体の突出量以上であるため、記録媒体が搬送ローラによって搬送される間におけるスキミング装置による情報記録部への接触を抑制することができる。この結果、記録媒体受付装置において、簡易な構成でスキミング対策を図ることができる。
【００１２】
［適用例３］
適用例１または２記載の記録媒体受付装置であって、さらに、
前記突出部の先端付近に取り付けられた異物を検知するために、前記突出部の先端よりも外側、かつ、前記挿入口の長手方向を監視する第１のセンサが設けられている、記録媒体受付装置。
【００１３】
この構成によれば、突出部の先端よりも外側、かつ、挿入口の長手方向を監視する第１のセンサが設けられているため、突出部よりも外側に取り付けられたスキミング装置を検知することができる。この結果、記録媒体受付装置において、簡易な構成でスキミング対策を図ることができる。
【００１４】
［適用例４］
適用例１ないし３のいずれか一項記載の記録媒体受付装置であって、さらに、
前記突出部の表面に取り付けられた異物を検知するために、前記磁気ヘッドと対応する位置、かつ、前記挿入口の短手方向を監視する第２のセンサが設けられている、記録媒体受付装置。
【００１５】
この構成によれば、磁気ヘッドと対応する位置、かつ、挿入口の短手方向を監視する第２のセンサが設けられているため、突出部と記録媒体との間の隙間に取り付けられたスキミング装置を検知することができる。この結果、記録媒体受付装置において、簡易な構成でスキミング対策を図ることができる。
【００１６】
［適用例５］
適用例４記載の記録媒体受付装置であって、
前記突出部は中空状に形成され、かつ、前記突出部のうちの前記磁気ヘッドと対応する位置であって、前記挿入口と対向する側の面の少なくとも一部分は特定周波数の光のみを通過する材料で形成され、
前記第２のセンサは、前記突出部内に形成された空間に配置されている、記録媒体受付装置。
【００１７】
この構成によれば、突出部は中空状に形成され、かつ、突出部のうちの磁気ヘッドと対応する位置であって、挿入口と対向する側の面の少なくとも一部分は特定周波数の光のみを通過する材料で形成され、第２のセンサは、突出部内に形成された空間に配置されているため、第２のセンサを突出部内に内蔵することができる。
【００１８】
［適用例６］
適用例１ないし５のいずれか一項記載の記録媒体受付装置であって、
前記挿入口は、前記記録媒体受付装置の前面に対して窪んだ面である挿入口形成面に形成され、
前記挿入口形成面のうち、前記挿入口の長手方向の両端部から前記記録媒体受付装置の前面に向かって延伸する面の少なくとも一方には、前記第１のセンサが設けられ、
前記挿入口形成面のうち、前記挿入口の短手方向の上端部から前記記録媒体受付装置の前面に向かって延伸する面と、前記突出部との少なくとも一方には、前記第２のセンサが設けられている、記録媒体受付装置。
【００１９】
この構成によれば、スキミング装置による情報記録部への接触を抑制しつつ、突出部よりも外側に取り付けられたスキミング装置を検知すると共に、突出部と記録媒体との間の隙間に取り付けられたスキミング装置を検知することができる。この結果、記録媒体受付装置において、簡易な構成でスキミング対策を図ることができる。
【００２０】
［適用例７］
適用例１ないし６のいずれか一項記載の記録媒体受付装置であって、さらに、
前記突出部の側面に取り付けられた異物を検知するために、前記突出部の一側面を監視する第３のセンサが設けられている、記録媒体受付装置。
【００２１】
この構成によれば、突出部の一側面を監視する第３のセンサが設けられているため、突出部の側面に取り付けられたスキミング装置を検知することができる。この結果、記録媒体受付装置において、簡易な構成でスキミング対策を図ることができる。
【００２２】
［適用例８］
適用例１ないし７のいずれか一項記載の記録媒体受付装置であって、
前記突出部は、前記突出部の一部が前記記録媒体と接触するように形成されている、記録媒体受付装置。
【００２３】
この構成によれば、突出部は、突出部の一部が記録媒体と接触するように形成されているため、突出部と記録媒体との間の隙間にスキミング装置を取り付けることを妨げることができる。この結果、記録媒体受付装置において、簡易な構成でスキミング対策を図ることができる。
【００２４】
［適用例９］
適用例１ないし８のいずれか一項記載の記録媒体受付装置であって、
前記突出部は、湾曲した形状である、記録媒体受付装置。
【００２５】
この構成によれば、突出部は、湾曲した形状であるため、突出部の外側に対してスキミング装置の取り付けを困難にすることができる。この結果、記録媒体受付装置において、簡易な構成でスキミング対策を図ることができる。
【００２６】
なお、本発明は、種々の態様で実現することが可能である。例えば、本発明は、記録媒体受付装置（例えば、ＡＴＭやＣＤ）、記録媒体受付方法のほか、それらの方法または装置の機能を実現するためのコンピュータプログラム、そのコンピュータプログラムを記録した記憶媒体等の形態で実現することができる。
【図面の簡単な説明】
【００２７】
【図１】本発明の第１実施例としての現金自動取引装置の構成を概略的に示す説明図である。
【図２】カード取扱機構の外観の構成を示す説明図である。
【図３】カード取扱機構のＡ面（図２）における断面を示す説明図である。
【図４】カード取扱機構のＢ面（図２）における断面を示す説明図である。
【図５】第２実施例におけるカード取扱機構のＢ面（図２）における断面を示す説明図である。
【図６】第３実施例におけるカード取扱機構のＢ面（図２）における断面を示す説明図である。
【図７】第４実施例におけるカード取扱機構の外観の構成を示す説明図である。
【発明を実施するための形態】
【００２８】
次に、本発明の実施の形態を実施例に基づいて以下の順序で説明する。
【００２９】
Ａ．第１実施例：
図１は、本発明の第１実施例としての現金自動取引装置１０の構成を概略的に示す説明図である。本実施例における記録媒体受付装置としての現金自動取引装置（以降、「ＡＴＭ」とも呼ぶ。）１０は、例えば金融機関や小売店、公共施設等に設置され、顧客（利用者）の操作に基づき現金出納等の所定の取引処理を行う装置である。ＡＴＭ１０は、現金自動預け払い機とも呼ばれる。
【００３０】
図１に示すように、ＡＴＭ１０は、装置前面に立つ顧客に対する前面パネル９１０と、顧客側に迫り出した操作テーブル９２０とを備えている。ＡＴＭ１０は、前面パネル９１０に、取扱可否ランプ９１１と、明細票印字機構４００と、通帳取扱機構５００と、カード取扱機構６００と、紙幣入出金機構７００と、硬貨入出金機構８００と、を備えている。また、ＡＴＭ１０は、操作テーブル９２０に、顧客操作部３００と、顧客検知センサ９２１とを備えている。なお、図１においては、説明上必要としない一部の構成部については図示を省略している。このことは、後述する図においても同様である。
【００３１】
取扱可否ランプ９１１は、ＡＴＭ１０による取引が実行可能な状態にあるとき点灯し、顧客に利用可能／不能を通知する。明細票印字機構４００は、顧客がＡＴＭ１０にて行った取引の内容を印字した明細票の発行を行う。通帳取扱機構５００は、顧客の通帳ＢＢの受け入れ／排出動作や、磁気ストライプを対象としたリード／ライト動作、通帳への印字動作等を行う。カード取扱機構６００は、現金支払いや預け入れといった取引処理に必要な情報（以降、「顧客情報」とも呼ぶ。）が記録されたカードＣＤの受け入れ／排出動作や、カードＣＤに含まれる磁気ストライプを対象としたリード／ライト動作、カードのエンボス部分のイメージの読み取り動作等を行う。紙幣入出金機構７００は、紙幣の入金／出金動作や、ＡＴＭ１０内部の図示しない紙幣収納部への搬送動作といった現金（紙幣）の管理を行う。硬貨入出金機構８００は、硬貨の入金／出金動作や、ＡＴＭ１０内部の図示しない硬貨収納部への搬送動作といった現金（硬貨）の管理を行う。
【００３２】
顧客操作部３００は、例えば、入力機能と表示機能とを備えるタッチパネルにより構成されている。顧客操作部３００は、種々の情報を画面に表示すると共に顧客の画面タッチ操作を検知することにより、顧客の取引操作を誘導したり、顧客による画面表示された項目の選択や暗証番号の入力等を受け付けたりするユーザインタフェースである。なお、顧客操作部３００は、タッチパネルに代えて、ディスプレイと操作ボタンの組合せにより構成するものとしてもよい。顧客検知センサ９２１は、ＡＴＭ１０の前に立つ顧客を検知するセンサであり、その結果は、ＡＴＭ１０の制御部に送信され、制御部による顧客操作部３００の点灯表示制御等に用いられる。
【００３３】
なお、ＡＴＭ１０に含まれる顧客操作部３００や、明細票印字機構４００、通帳取扱機構５００、カード取扱機構６００、紙幣入出金機構７００、硬貨入出金機構８００等は、それぞれが所定の動作を行う構成要素である。本明細書では、これらの構成要素を動作ユニットとも呼ぶ。すなわち、ＡＴＭ１０は、複数の動作ユニットを有する。
【００３４】
図２は、カード取扱機構６００の外観の構成を示す説明図である。図３は、カード取扱機構６００のＡ面（図２）における断面を示す説明図である。図４は、カード取扱機構６００のＢ面（図２）における断面を示す説明図である。図２に示すように、カード取扱機構６００の前面パネル９１０に面する側には、情報を記録した記録媒体としてのカードＣＤの挿入を受け付けるカード挿入部６１０（記録媒体挿入部）が設けられている。カード挿入部６１０には、前面壁部６２０と、上面部６３０と、右側壁部６４０と、底面部６５０と、左側壁部６６０と、突出部６７０と、挿入口６８０とが設けられている。また、図３、図４に示すように、カード取扱機構６００の内部には、挿入されたカードＣＤの情報記録部としての磁気ストライプ部分に記憶された情報を読み取るための読取部６９０が設けられている。読取部６９０には、カード口センサ６９１と、下部ローラ６９２と、上部ローラ６９３と、磁気ヘッド６９４が設けられている。
【００３５】
挿入口形成面としての前面壁部６２０は、ＡＴＭ１０の前面に対して窪むように設けられた面である。前面壁部６２０の略中央部には、前面壁部６２０の一部が略長方形状にくり抜かれた形状を有する挿入口６８０が設けられている。挿入口６８０には、カードＣＤが挿入される。カードＣＤは、情報記録部としての磁気ストライプＭＳを下に向けた状態で挿入される。さらに、前面壁部６２０には、挿入口６８０の長手方向の少なくとも一部の範囲であって、挿入口６８０に挿入されるカードＣＤの磁気ストライプＭＳの向きと対応する位置（すなわち、図４の磁気ヘッド６９４と対応する位置）に突出部６７０が形成されている。
【００３６】
突出部６７０は、突出部上面６７１と、突出部側面６７２と、突出部底面６７３とを含んでいる。突出部上面６７１は、突出部６７０のうち、挿入口６８０と対向する側（上側）に位置する扇形状に湾曲した平面である。突出部上面６７１は、顧客がカードＣＤを挿入口６８０へ挿入する際に、カードＣＤと接触することによって、カードＣＤの移動を案内する機能を有している。また、突出部上面６７１は、特定周波数の光のみを透過する材料で形成されている。これは、後述する垂直発光センサＰＯＳからの光を透過させるためである。突出部底面６７３は、突出部上面６７１と対応した形状を有する面である。突出部側面６７２は、突出部上面６７１と、突出部底面６７３とから延伸する面である。
【００３７】
上面部６３０は、前面壁部６２０のうち、挿入口６８０の短手方向の上端部からＡＴＭ１０の前面に向かって延伸する面である。一方の側壁部としての右側壁部６４０は、前面壁部６２０のうち、挿入口６８０の長手方向の右側に位置する端部からＡＴＭ１０の前面に向かって延伸する面である。底面部６５０は、前面壁部６２０のうち、挿入口６８０の短手方向の下端部からＡＴＭ１０の前面に向かって延伸する面である。他方の側壁部としての左側壁部６６０は、前面壁部６２０のうち、挿入口６８０の長手方向の左側に位置する端部からＡＴＭ１０の前面に向かって延伸する面である。これらの上面部６３０、右側壁部６４０、左側壁部６６０についても、突出部上面６７１と同様に、特定周波数の光のみを透過する材料で形成されている。これは、後述する垂直発光センサＰＯＳと、水平発光センサＨＯＳからの光を透過させるためである。
【００３８】
上面部６３０のうち、突出部６７０と対向し、磁気ヘッド６９４と対応する部分には、第２のセンサとしての垂直受光センサＰＩＳが設けられている。垂直受光センサＰＩＳは、受光素子を備えた透過型のフォトセンサであり、発光素子からの光を捉えて電流として出力する機能を有している。また、突出部６７０の内部（すなわち、突出部上面６７１と、突出部側面６７２と、突出部底面６７３とにより形成される中空部）であって、磁気ヘッド６９４と対応する部分には、第２のセンサとしての垂直発光センサＰＯＳが設けられている。垂直発光センサＰＯＳは、発光素子を備えた透過型のフォトセンサであり、垂直受光センサＰＩＳに向かってＬＥＤ等の光を発する機能を有している。垂直受光センサＰＩＳと垂直発光センサＰＯＳとは、挿入口６８０の短手方向をまっすぐ挟むようにして配置されている。
【００３９】
左側壁部６６０には、第１のセンサとしての水平受光センサＨＩＳが設けられている。水平受光センサＨＩＳは、垂直受光センサＰＩＳと同様に、受光素子を備えた透過型のフォトセンサである。なお、水平受光センサＨＩＳは、突出部６７０の先端部分と対応する高さであって、突出部６７０の先端部分よりも外側（ＡＴＭの前面側）に設けられることが好ましい。右側壁部６４０には、第１のセンサとしての水平発光センサＨＯＳが設けられている。水平発光センサＨＯＳは、垂直発光センサＰＯＳと同様に、受光素子を備えた透過型のフォトセンサである。なお、水平発光センサＨＯＳについても、突出部６７０の先端部分と対応する高さであって、突出部６７０の先端部分よりも外側に設けられることが好ましい。水平受光センサＨＩＳと水平発光センサＨＯＳとは、挿入口６８０の長手方向を挟むようにして配置されている。
【００４０】
読取部６９０のカード口センサ６９１（図３）は、カードＣＤの搬送状態を検出するためのセンサである。搬送ローラとしての下部ローラ６９２と、上部ローラ６９３とは、挿入口６８０に挿入されたカードＣＤの上下面を巻き込むことによって、カードＣＤの搬送を行う。例えば、磁気ストライプのデータをリードする場合、カードＣＤは下部ローラ６９２と、上部ローラ６９３とによって磁気ヘッド６９４に向かって搬送される。磁気ヘッド６９４は、カードＣＤの磁気ストライプに記憶された情報を読み取るための読取装置である。
【００４１】
以上のように、第１実施例によれば、記録媒体（カードＣＤ）を挿入するための挿入口（挿入口６８０）の長手方向の少なくとも一部の範囲、かつ、記録媒体の情報記録部（磁気ストライプＭＳ）に記憶された情報を読み取るためのヘッド（磁気ヘッド６９４）と対応する位置に、記録媒体の挿入を案内するための突出部６７０が形成されているため、スキミング装置による情報記録部への接触を抑制しつつ、操作性を確保することができる。この結果、記録媒体受付装置において、簡易な構成でスキミング対策を図ることができる。
【００４２】
また、図４に示すように、挿入口６８０に対する突出部６７０の突出量Ｄは、挿入口６８０に挿入された記録媒体の先端が搬送ローラ（下部ローラ６９２、上部ローラ６９３）に接触した状態における、挿入口６８０からの記録媒体の突出量以上であるため、記録媒体が搬送ローラによって搬送される間、すなわち、記録媒体が定速で搬送される間におけるスキミング装置による情報記録部への接触を抑制することができる。
【００４３】
さらに、図２に示すように、２つの側壁部（右側壁部６４０、左側壁部６６０）のうちの少なくとも一方には、突出部６７０の先端よりも外側、かつ、挿入口６８０の長手方向を監視する第１のセンサ（水平受光センサＨＩＳ、水平発光センサＨＯＳ）が設けられている。ＡＴＭ１０の図示しない制御部は、水平発光センサＨＯＳから発せられる光ＨＨ（図４）を水平受光センサＨＩＳで受光し、出力電流の変化を監視することによって、水平発光センサＨＯＳと水平受光センサＨＩＳとの間の遮蔽物の有無（すなわち、スキミング装置が設置されたか否か）を検知することができる。制御部は、このようにして異物を検知した場合、警報を鳴らす、センターへ通報する等の措置を採ることができる。このようにして、突出部６７０よりも外側に取り付けられたスキミング装置を検知することができる。
【００４４】
さらに、図２に示すように、上面部６３０のうちの突出部６７０と対向する部分と、突出部６７０との少なくとも一方には、磁気ヘッド６９４と対応する位置、かつ、挿入口６８０の短手方向を監視する第２のセンサ（垂直受光センサＰＩＳ、垂直発光センサＰＯＳ）が設けられている。ＡＴＭ１０の図示しない制御部は、垂直発光センサＰＯＳから発せられる光ＰＰを垂直受光センサＰＩＳで受光し、出力電流の変化を監視することによって、垂直発光センサＰＯＳと垂直受光センサＰＩＳとの間の遮蔽物の有無（すなわち、スキミング装置が設置されたか否か）を検知することができる。制御部は、このようにして異物を検知した場合、警報を鳴らす、センターへ通報する等の措置を採ることができる。このようにして、突出部６７０と記録媒体との間の隙間に取り付けられたスキミング装置を検知することができる。
【００４５】
さらに、図４に示すように、突出部６７０は中空状に形成され、かつ、突出部６７０のうちの磁気ヘッド６９４と対応する一であって、挿入口６８０と対向する面（突出部上面６７１）の少なくとも一部分は特定周波数の光のみを通過する材料で形成され、第２のセンサは、突出部６７０内に形成された空間に配置されているため、第２のセンサを突出部内に内蔵することができる。この結果、第２のセンサは顧客に目立たない態様で配置可能となり、例えば、いたずら等による誤検知を抑制することができる。さらに、このような構成とすれば、外部からの水分によるセンサの故障についても抑制することができる。
【００４６】
さらに、図４に示すように、突出部６７０は、突出部６７０の一部（突出部上面６７１）が記録媒体と接触するように形成されているため、突出部６７０と記録媒体との間の隙間にスキミング装置を取り付けることを妨げることができる。また、突出部６７０は、湾曲した形状であるため、突出部６７０の外側に対してスキミング装置の取り付けを困難にすることができる。
【００４７】
Ｂ．第２実施例：
図５は、第２実施例におけるカード取扱機構６００ａのＢ面（図２）における断面を示す説明図である。図４に示した第１実施例との違いは、突出部底面６７３の代わりに突出部底面６７３ａを、垂直発光センサＰＯＳの代わりに垂直発光センサＰＯＳａをそれぞれ備える点のみであり、他の構成や動作は第１実施例と同様である。本実施例における突出部底面６７３ａは、突出部上面６７１と同様に、特定周波数の光のみを透過する材料で形成されている。また、垂直発光センサＰＯＳａは、底面部６５０のうち、突出部６７０と対向し、磁気ヘッド６９４と対応する部分に設けられている。
【００４８】
このように、第２実施例のような構成としても、第１実施例と同様の効果を得ることができる。さらに、第２実施例によれば、第２のセンサ（垂直受光センサＰＩＳ、垂直発光センサＰＯＳａ）によって、第１実施例よりも広い範囲、すなわち、突出部６７０と上面部６３０との間と、突出部６７０と底面部６５０との間における遮蔽物の有無（すなわち、スキミング装置が設置されたか否か）を検知することができる。
【００４９】
Ｃ．第３実施例：
図６は、第３実施例におけるカード取扱機構６００ｂのＢ面（図２）における断面を示す説明図である。図５に示した第２実施例との違いは、突出部上面６７１の代わりに突出部上面６７１ｂを備える点のみであり、他の構成や動作は第２実施例と同様である。本実施例における突出部上面６７１ｂは、ＡＴＭ１０の装置手前側に向かって下がるように傾斜している。このため、挿入されるカードＣＤと突出部上面６７１ｂとの間には、空間Ｅが形成される。スキミング装置は、通常、カードＣＤの磁気ストライプＭＳに接触する位置に配置される。従って、例えば、図６のように、突出部側面６７２の外側（すなわち、突出部６７０の先端部分）にスキミング装置ＳＡが取り付けられた場合、空間Ｅが存在することにより、不自然な段差が形成されることとなる。この結果、スキミング装置の発見を促すことができる。
【００５０】
このように、第３実施例のような構成としても、第２実施例と同様の効果を得ることができる。
【００５１】
Ｄ．第４実施例：
図７は、第４実施例におけるカード取扱機構６００ｃの外観の構成を示す説明図である。図２に示した第１実施例との違いは、カード挿入部６１０ｃ（記録媒体挿入部）の構成のみであり、他の構成や動作は第１実施例と同様である。
【００５２】
カード挿入部６１０ｃには、前面壁部６２０ｃと、ポケット９００と、突出部６７０ｃと、挿入口６８０とが設けられている。前面壁部６２０ｃは、ＡＴＭ１０ｃの前面側に設けられた面である。前面壁部６２０ｃの上部には、半円状に窪んだポケット９００が設けられている。ポケット９００には、その一部が略長方形状にくり抜かれた形状を有する挿入口６８０が設けられている。挿入口６８０には、第１実施例と同様に、記録媒体としてのカードが挿入される。カードは、情報記録部としての磁気ストライプを下に向けた状態で挿入される。さらに、前面壁部６２０ｃには、挿入口６８０の長手方向の少なくとも一部の範囲であって、挿入口６８０に挿入されるカードの磁気ストライプの向きと対応する位置（すなわち、図４の磁気ヘッド６９４と対応する位置）に突出部６７０ｃが形成されている。
【００５３】
突出部６７０ｃは、突出部上面６７１と、突出部内側側面６７５とを含んでいる。突出部上面６７１は、突出部６７０のうち、挿入口６８０と対向する側（上側）に位置する扇形状に湾曲した平面である。突出部内側側面６７５は、突出部上面６７１を形成する辺のうち、挿入口６８０の中心側に位置する一辺から、挿入口６８０とは遠ざかる方向に延伸する扇形状に湾曲した平面である。前面壁部６２０ｃと、突出部内側側面６７５とは、特定周波数の光のみを透過する材料で形成されている。これは、後述する対角発光センサＣＯＳからの光を透過させるためである。
【００５４】
前面壁部６２０ｃの長手方向の略中央部であって、突出部６７０ｃが設けられている側とは逆側に位置する部分には、対角受光センサＣＩＳが設けられている。対角受光センサＣＩＳは、第１実施例の垂直受光センサＰＩＳと同様に、受光素子を備えた透過型のフォトセンサである。また、突出部６７０ｃの内部であって、突出部内側側面６７５に隣接する部分には、対角発光センサＣＯＳが設けられている。対角発光センサＣＯＳは、第１実施例の垂直発光センサＰＯＳと同様に、発光素子を備えた透過型のフォトセンサであり、対角受光センサＣＩＳに向かってＬＥＤ等の光を発する機能を有している。対角受光センサＣＩＳと対角発光センサＣＯＳとは、挿入口６８０の長手方向に沿うようにして配置されている。
【００５５】
このように、第４実施例のような構成としても、第１実施例と同様の効果を得ることができる。さらに、図７に示すように、第４実施例によれば、前面壁部６２０ｃの長手方向の略中央部であって、突出部６７０ｃが設けられている側とは逆側に位置する部分と、突出部６７０ｃの側面との少なくとも一方には、突出部の一側面を監視する第３のセンサ（対角受光センサＣＩＳ、対角発光センサＣＯＳ）が設けられている。ＡＴＭ１０ｃの図示しない制御部は、対角発光センサＣＯＳから発せられる光ＰＰｃを対角受光センサＣＩＳで受光し、出力電流の変化を監視することによって、対角受光センサＣＩＳと対角発光センサＣＯＳとの間の遮蔽物の有無（すなわち、スキミング装置が設置されたか否か）を検知することができる。第４実施例では、このようにして、前面壁部６２０ｃのうち、突出部６７０ｃが形成されていない部分（突出部６７０の側面）に取り付けられたスキミング装置を検知することができる。
【００５６】
Ｅ．変形例：
なお、この発明は上記の実施例や実施形態に限られるものではなく、その要旨を逸脱しない範囲において種々の態様において実施することが可能であり、例えば次のような変形も可能である。
【００５７】
Ｅ１．変形例１：
上記実施例におけるＡＴＭは、磁気ストライプに顧客情報を記憶するタイプのカード（磁気カード）をキャッシュカードとして用いる例について説明した。しかし、本発明におけるＡＴＭは、ＩＣチップに顧客情報を記憶するタイプのカード（ＩＣカード）をキャッシュカードとして使用しても良い。
【００５８】
Ｅ２．変形例２：
上記実施例では、記録媒体の情報記録部を挿入口に対して右下側に向けて挿入するタイプについて例示した。しかし、記録媒体の情報記録部の向きは、ＡＴＭ内部に設けられるヘッドの位置により変動し、これに伴って突出部が設けられる位置も変動する。
【００５９】
Ｅ３．変形例３：
上記実施例では、第１〜第３の各センサに接する各構成部（例えば、上面部、突出部上面、右側壁部、左側壁部、ポケット、突出部内側側面）については、特定周波数の光のみを透過する材料で形成するものとして記載した。しかし、各センサに接する各構成部は、その部材の全ての部分ではなく、発光側のセンサから発生する光の光路に相当する一部分のみを特定周波数の光のみを透過する材料で形成するものとしてもよい。このようにすれば、各部材に掛かる製造コストを抑制できる点において好ましい。
【００６０】
また、第１〜第３の各センサに接する各構成部は、発光側のセンサから発生する光の光路に相当する一部分に貫通孔を設けた形状とすることもできる。このようにしても、各部材に掛かる製造コストを抑制できる点において好ましい。
【００６１】
さらに、第１〜第３の各センサを各構成部（例えば、上面部、突出部上面、右側壁部、左側壁部、ポケット、突出部内側側面）の表面に取り付ける構成とすれば、各構成部を遮光性の材料で形成することもできる。
【００６２】
Ｅ４．変形例４：
上記実施例では、第１〜第３の各センサとして透過型フォトセンサを用いる例について説明した。しかし、これらのセンサには、種々のタイプのセンサを利用することができる。例えば、反射型フォトセンサを用いても良い。反射型フォトセンサを用いる場合、例えば、第２のセンサとしての反射型フォトセンサを、図２の垂直受光センサＰＩＳ・垂直発光センサＰＯＳの位置の少なくともいずれか一方、第１のセンサとしての反射型フォトセンサを、図２の水平受光センサＨＩＳ・水平発光センサＨＯＳの位置の少なくともいずれか一方に設ければよい。このようにすれば、使用するセンサの数を少なくすることができる。
【００６３】
Ｅ５．変形例５：
上記実施例では、第１〜第３の各センサのうちの発光側のセンサは、常に光を発光するものとして記載した。しかし、発光側のセンサと、受光側のセンサとを協働させることで、不正な発光センサを備えたスキミング装置を検出することも可能となる。例えば、発光側のセンサは、予め定められた周期で発光を行う。制御部は、受光センサからの出力電流の遷移を監視することによって、発光センサが予め定められた正しい周期で発光しているか否かを検出することができる。この予め定められた周期は、ＡＴＭ内部に保存され、任意に設定可能とすることが好ましい。
【００６４】
Ｅ６．変形例６：
上記実施例では、ＡＴＭ１０の構成について説明した。しかし、上記実施例で示した態様は、あくまでＡＴＭの構成の一例に過ぎず、本発明の要旨を逸脱しない範囲において種々の態様を採用することができる。例えば、各部を構成する部材の形状等を変更しても良いし、上述しない機能（例えば、音声案内部等）を備えるものとしても良い。
【００６５】
例えば、突出部の形状を、より複雑な形状へ変更することで、スキミング装置の取り付けをより困難とすることができる。さらに、突出部の材質を工夫することで、突出部表面に対するスキミング装置の取り付けを困難とすることもできる。
【符号の説明】
【００６６】
１０…現金自動取引装置（ＡＴＭ）
３００…顧客操作部
４００…明細票印字機構
５００…通帳取扱機構
６００…カード取扱機構
６００ａ〜ｃ…カード取扱機構
６１０…カード挿入部
６１０ｃ…カード挿入部
６２０…前面壁部
６２０ｃ…前面壁部
６３０…上面部
６４０…右側壁部
６５０…底面部
６６０…左側壁部
６７０…突出部
６７０ｃ…突出部
６７１…突出部上面
６７１ｂ…突出部上面
６７２…突出部側面
６７３…突出部底面
６７３ａ…突出部底面
６７５…突出部内側側面
６８０…挿入口
６９０…読取部
６９１…カード口センサ
６９２…下部ローラ
６９３…上部ローラ
６９４…磁気ヘッド
７００…紙幣入出金機構
８００…硬貨入出金機構
９００…ポケット
９１０…前面パネル
９１１…取扱可否ランプ
９２０…操作テーブル
９２１…顧客検知センサ
ＳＡ…スキミング装置
ＣＤ…カード
ＭＳ…磁気ストライプ
ＣＩＳ…対角受光センサ
ＰＩＳ…垂直受光センサ
ＨＩＳ…水平受光センサ
ＣＯＳ…対角発光センサ
ＰＯＳ…垂直発光センサ
ＨＯＳ…水平発光センサ
【図１】
0005536525.tif 000002
【図２】
0005536525.tif 000003
【図３】
0005536525.tif 000004
【図４】
0005536525.tif 000005
【図５】
0005536525.tif 000006
【図６】
0005536525.tif 000007
【図７】
0005536525.tif 000008